(57)【要約】【課題】  収めておく場所とお守りの目的との関係で、お守りとしての不変性や共通性を有し、お守り自体の形態が相応しく、使用価値を高め、携帯性にも優れたお守りを提供せんとする。【解決手段】  金箔２を、表面となる面５に窓孔６を形成した内包体３で抱持し、更に、金箔２を抱持した内包体３に透視可能な素材で形成した外装体４を装着する。窓孔６及び外装体４を通してお守りの外部から金箔２が看取可能となる。【選択図】  図１
0003151807.tif 000002
【実用新案登録請求の範囲】
【請求項１】
金箔を、表面となる面に窓孔を形成した内包体で抱持し、更に、金箔を抱持した内包体に透視可能な素材で形成した外装体を装着し、窓孔及び外装体を通してお守りの外部から金箔が看取可能となっていることを特徴とするお守り。
【請求項２】
重合した基材と共に金箔を、内包体で抱持したことを特徴とする請求項１記載のお守り。
【請求項３】
基材と重合した金箔を、窓孔が形成された表面側に位置するように内包体で抱持したことを特徴とする請求項２記載のお守り。
【請求項４】
窓孔を形成した内包体の表面と重なる外装体の部分が透視可能な素材であることを特徴とする請求項１乃至３のいずれかに記載のお守り。
【請求項５】
窓孔を形成した内包体の表面に、透視可能な素材で形成した外装体を当着したことを特徴とする請求項１乃至３のいずれかに記載のお守り。
【請求項６】
透視可能な素材がパラフィン紙である請求項１乃至５のいずれかに記載のお守り。
【請求項７】
金箔の厚さが１乃至３ミクロンである請求項１乃至６のいずれかに記載のお守り。
【請求項８】
金箔が銀箔その他のアルミ箔である請求項１乃至６のいずれかに記載のお守り。
【請求項９】
窓孔を形成した内包体の表面に、祈願や吉兆等のお守りに相応しい文字や模様を表示したことを特徴とする請求項１乃至８のいずれかに記載のお守り。
【考案の詳細な説明】
【技術分野】
【０００１】
本考案はお守りに関するものであり、特に携帯性に優れ財布に収容しておくのに適した構造としたものに関する。
【背景技術】
【０００２】
従来、お守りには神社等の御神体を表示した紙片等を、房付きのお守り袋に入れるようにしたものが一般的である。
そして、お守り袋を意匠的に豪華にしてそのご利益等の効果を期待したものも見られる。
御神体は、通常は木片や紙片によって作られ、お守り袋に収納した状態で袋ごと携帯して持ち運び、そのお守りが有していると言われる厄除け、安産等の各種のご利益等の効果を期待するために常に肌身離さず身に付けている。
【０００３】
そして、例えば特開２００７−６８６１７号では、お守り入れ袋の内部を視覚的に容易に確認することができるように、お守り袋の袋体の一部にメッシュ部を設けるよう織物地を織り上げ、このメッシュ部における織物の編地密度が、袋体の他の部分よりも粗くして、お守り袋の内容物である御神体を直ちに認識できるようにしたものがある。
【０００４】
また、特開２００４−３５８０７２号では、お守りをカード型とし、規格から外れた宝石類などを有効利用することができ、携帯に便利なお守りとするため、カード形状の表面に予め祈願を施した宝石類を取り付け、カードの裏面に観光写真を印刷し、宝石類以外の部分にラミネート加工を施したものが開示されている。
【０００５】
さらに、実用新案登録第３０９４５２４号では、お守りとしての荘厳性を有し、使用価値を高めた携帯性に優れたお守りとするため、弾性材を布片、紙片、木片、ダンボール片等の基材で積層して基体を構成し、この基体の外周縁を金箔等によって箔押しして縁部を設け、基体の表面側には箔押しによって枠状の箔押し部を設け、御神体、御本尊などのお守りであるお守り本体を１８Ｋなどの金材料で形成し、このお守り本体を箔押し部の位置に配設したものが開示されている。
【先行技術文献】
【特許文献】
【０００６】
【特許文献１】特開２００７−６８６１７号
【特許文献２】特開２００４−３５８０７２号
【特許文献３】実用新案登録第３０９４５２４号
【考案の概要】
【考案が解決しようとする課題】
【０００７】
従来の袋入りお守りは、格別に信心が強くないと長期間に亘って御神体、御本尊として携帯することは稀であり、一方、カード形式に形成したとしても、これらは薄板状で、構造が単純であるためお守りが有する荘厳性が弱くお守りとしての使用価値が低いという問題がある。
また、袋入りお守りを長期間携帯する場合には、お守り袋が損傷し、御神体、御本尊をお守り袋から取り出して携帯する場合にも保持場所や保持手段に問題を有している。
さらに、携帯場所として財布を選択する人が多く見られるが、お守りの目的との関係で、紙幣金銭の収容物である財布との共存が相応しくない対象のお守りもある。
【０００８】
そこで、本考案は、収めておく携帯場所とお守りの目的との関係で、お守りとしての不変性や共通性を有し、お守り自体の形態が相応しく、使用価値を高め、携帯性にも優れたお守りを提供せんとするものである。
【課題を解決するための手段】
【０００９】
本考案の請求項１のお守りは、金箔を、表面となる面に窓孔を形成した内包体で抱持し、更に、金箔を抱持した内包体に透視可能な素材で形成した外装体を装着し、窓孔及び外装体を通してお守りの外部から金箔が看取可能となっていることを特徴とするものである。
【００１０】
請求項２の考案は、請求項１記載のお守りにおいて、重合した基材と共に金箔を、内包体で抱持したことを特徴とするものであり、請求項３の考案は、請求項２記載のお守りにおいて、基材と重合した金箔を、窓孔が形成された表面側に位置するように内包体で抱持したことを特徴とするものである。
【００１１】
請求項４の考案は、請求項１乃至３のいずれかに記載のお守りにおいて、窓孔を形成した内包体の表面と重なる外装体の部分が透視可能な素材であることを特徴とするものであり、請求項５の考案は、窓孔を形成した内包体の表面に、透視可能な素材で形成した外装体を当着したことを特徴とするものである。
【００１２】
また、請求項６の考案は、請求項１乃至５のいずれかに記載のお守りにおいて、透視可能な素材がパラフィン紙であることを特徴としたものである。
【００１３】
そして、請求項７の考案は、請求項１乃至６のいずれかに記載のお守りにおいて、金箔の厚さが１乃至３ミクロンとしたもの、請求項８の考案は金箔が銀箔その他のアルミ箔としたものであり、請求項９の考案は、請求項１乃至８のいずれかに記載のお守りにおいて、窓孔を形成した内包体の表面に、祈願や吉兆等のお守りに相応しい文字や模様を表示したことを特徴とするものである。
【考案の効果】
【００１４】
請求項１の考案は、お守りを収め携帯する場所として多くの人が選択している財布との関係で、金箔とは関係が深く、お守りとしての不変性や共通性を有する効果を発揮する。
また、窓孔及び外装体を通してお守りの外部から金箔が看取可能で安心感が高く、お守り自体の形態が相応しく使用価値を高める効果も有する。
そして、全体の厚みをきわめて薄く構成可能で、コンパクトであり財布に収納しやすく、スペースもとらず携帯性にも優れたお守りとなる効果を発揮する。
さらに、金箔は内包体で抱持され、内包体の窓孔を透視性の外装体で被覆しているから、金箔と財布面等とが直接接触することを阻止でき、金箔が剥がれたり離脱することを防止する効果を有する。
【００１５】
請求項２の考案は、金箔に基材を添えて抱持するため、基材が金箔の弱さを補強し、折れ曲がりや自接着を防止し、また、内包体の抱持作業を容易とする格別の効果を有し、請求項３の考案は、窓孔からの金箔の看取を妨げることを無くす効果を発揮する。
【００１６】
請求項４及び５の考案は、透視可能な素材の使用は窓孔及び外装体を通してお守りの外部から金箔が看取可能とすることにあるから、少なくとも窓孔を有する面に透視可能な素材を関係して使用することでその目的を達成し、その効果を得られるものである。
【００１７】
請求項６の考案は、パラフィン紙を透視可能な素材として外装体に使用するものであり、透明性が確保され、光沢、滑らかさがあり、耐水性や耐油性を有し、携帯性を高める格別の効果を発揮するものとなる。
【００１８】
そして、請求項７の考案は金箔の厚さが１乃至３ミクロンとすることで、通常の金箔より厚みが有り強靭性を得られ、質感も良好となる効果が得られる。
請求項８の考案は金箔が銀箔その他のアルミ箔としたものであり、また、請求項９の考案は、窓孔を形成した内包体の表面に、祈願や吉兆等のお守りに相応しい文字や模様を表示し、お守りとしての体裁と使用価値を高める効果を有する。
【図面の簡単な説明】
【００１９】
【図１】本考案の一実施の形態を示すお守りの一部切り欠いた平面図である。
【図２】本考案の一実施の形態を示す内抱体の展開図である。
【図３】本考案の他の実施の形態を示す外装体の展開図である。
【図４】本考案の他の実施の形態を示すお守りの平面図である。
【考案を実施するための形態】
【００２０】
本考案の実施の形態を図面に基づいて説明する。
図１は本考案の一実施の形態を示すお守りの一部切り欠いた平面図であり、基材１、金箔２、内抱体３及び外装体４より成る。
基材１と金箔２とは略同一の矩形形状であり、重合して内包体３に抱持されている。
【００２１】
金は古来より貨幣として直接使用される等、人との縁が深い金属であり、富の象徴としての価値を有していることは周知の通りであるから、お守りとして神社等の御神体の表示と遜色の無いものと言える。
そして、金箔２とすることでその価値を減ずることなく供給にも充分応えられ、極めて薄いため包装しても嵩張らず財布等への収納に支障を生じない。
又、金箔２は通常の厚みを有する金箔を用いても良いが、１乃至３ミクロンの稍厚めとしても良い。
また、金箔の代わりに同様の価値が認められる銀箔或いはアルミ箔を用いてもよい。
【００２２】
基材１を用いるのは任意であり、各種紙材や樹脂シート等の板状体のものを用いる。
基材１に金箔２が重合することにより、金箔２が折曲したり、剥がれたり、或いは自着しないように整形・維持する作用を期待でき、内包体３の抱持作業も容易となる。
【００２３】
図２は内抱体３の一実施の形態を示す展開図であり、シート状の内包体３は、前記金箔２と略同形の表面片５を中心として、当該表面片５の各辺から抱持片７Ａ、７Ｂ、７Ｃ、７Ｄが延伸して連設されている。
表面片５には中央部に窓孔６が形成されており、又、対向する辺の抱持片７Ａと抱持片７Ｃ、及び抱持片７Ｂと抱持片７Ｄを抱持片５の内側へ折り返した時に、一方の組又は双方の組の一部が互いに重合するような延伸長を有する。
【００２４】
内包体３の素材及び窓孔６の大きさ及び形状に特段の限定はなく、折曲容易な各種の紙材を選択することが可能で、窓孔６は抱持する金箔２が抜け出ることが無いような大きさ及び形状とすることに留意すればよい。
また、窓孔６を開けた表面片５の表側面に、「金運」や「招福」等の祈願や吉兆等のお守りに相応しい文字８或いは模様を表示してもよい。
【００２５】
そこで、内包体３の表面片５に金箔２を当てて載置し、金箔２を包むように各抱持片７を折り返して、抱持片７Ａと抱持片７Ｃ又は／及び抱持片７Ｂと抱持片７Ｄの重合部を貼着し、必要ならば他方の組との重合部同士も貼着することによって、金箔２を内包体３に包み込んで抱持することができる。
【００２６】
さすれば、内包体３の窓孔６から抱持した金箔２が看取できる。
また、基材１を用いる場合は、折り返す抱持片側に金箔２と重合して表面片５に載置し、金箔２と共に各抱持片で抱持されるようにすれば、金箔２が内包体３の窓孔６から看取できることに支障とならない。
さらに、基材１と接する折り返した抱持片とを貼着すれば、より強固な抱持となる。
【００２７】
そして、金箔２（及び基材１）を抱持した内包体３を透視可能な素材で形成した外装体４で装着し、窓孔６及び外装体４を通してお守りの外部から金箔２が看取可能と成っている。
図１での外装体４は、内包体３に巻着するように外装体４の重合端部を貼着すると共に、内包体３とも適宜部分を貼着し、内包体３に巻着した外装体４が摺動しないようしてある。
【００２８】
透視可能な素材としては、例えばパラフィン紙や樹脂性フィルム等が選択でき、金箔２との接触による摩擦で金箔２がずれたり、皺がよったり、裂けたりしないように、滑らかさを有する素材やその様な処理を施すことが望ましい。
また、図３に示すように、外装体４Ａの透視可能な素材であるパラフィン紙９を、少なくとも内包体３の表面片５に当たる部分に使用した構成としても好い。
さらに、図４では、表面片５にだけ透視可能な素材の外装体４Ｂを被覆して当着したものである。
【００２９】
なお、本考案は、上述した実施の形態に限ることなく本発明の要旨を逸脱しない範囲で同等の作用効果を得られる他の実施の形態を各種採用することができる。
【符号の説明】
【００３０】
１                      基材
２                      金箔
３                      内包体
４、４Ａ、４Ｂ          外装体
５                      表面片
６                      窓孔
７Ａ、７Ｂ、７Ｃ、７Ｄ  抱持片
８                      文字
９                      パラフィン紙
【図１】
0003151807.tif 000003
【図２】
0003151807.tif 000004
【図３】
0003151807.tif 000005
【図４】
0003151807.tif 000006
【手続補正書】
【提出日】平成21年4月30日(2009.4.30)
【手続補正１】
【補正対象書類名】明細書
【補正対象項目名】００１３
【補正方法】変更
【補正の内容】
【００１３】
そして、請求項７の考案は、請求項１乃至６のいずれかに記載のお守りにおいて、金箔の厚さが１乃至３ミクロンとしたもの、請求項８の考案は金箔が銀箔或いはアルミ箔としたものであり、請求項９の考案は、請求項１乃至８のいずれかに記載のお守りにおいて、窓孔を形成した内包体の表面に、祈願や吉兆等のお守りに相応しい文字や模様を表示したことを特徴とするものである。
【手続補正２】
【補正対象書類名】明細書
【補正対象項目名】００１８
【補正方法】変更
【補正の内容】
【００１８】
そして、請求項７の考案は金箔の厚さが１乃至３ミクロンとすることで、通常の金箔より厚みが有り強靭性を得られ、質感も良好となる効果が得られる。
請求項８の考案は金箔が銀箔或いはアルミ箔としたものであり、また、請求項９の考案は、窓孔を形成した内包体の表面に、祈願や吉兆等のお守りに相応しい文字や模様を表示し、お守りとしての体裁と使用価値を高める効果を有する。
【手続補正３】
【補正対象書類名】実用新案登録請求の範囲
【補正対象項目名】請求項８
【補正方法】変更
【補正の内容】
【請求項８】
金箔が銀箔或いはアルミ箔である請求項１乃至６のいずれかに記載のお守り。